(57)【要約】【課題】  下半身の防雨を可能とし、使用者への雨具のまとわりつきをなくした上で、重量バランスを良好とし、肩又は脇への負担を軽減し、製造を簡素化し、取り付けを簡単にする。【解決手段】  雨具１は、上部構造２と、下部構造３と、上部構造２と下部構造３を連結する連結部４と、を備え、上部構造２が上部骨組み２ａと、上部骨組み２ａを覆う上部覆い２ｂとを有し、下部構造３が下部骨組み３ａと、下部骨組み３ａを覆う下部覆い３ｂとを有し、下部覆い３ｂに肩掛け部５を有し、重心が肩掛け部５よりも下にある。【選択図】図１
2018114007.tif 000002
【特許請求の範囲】
【請求項１】
上部構造と、
下部構造と、
該上部構造と下部構造を連結する連結部と、を備え
前記上部構造が上部骨組みと、該上部骨組みを覆う上部覆いとを有し、
前記下部構造が下部骨組みと、該下部骨組みを覆う下部覆いとを有し、
前記上部骨組み又は下部骨組み若しくは前記上部覆い又は下部覆いに肩掛け部を設け、重心が前記肩掛け部よりも下にあることを特徴とする雨具。
【請求項２】
前記上部構造及び下部構造が一対の線条部材で構成され、前記肩掛け部又は肩掛け部の近傍の位置で前記連結部により前記線条部材が交差連結され、前記上部構造の前後方向に開口を有し、前記下部構造の左右方向に開口を有する請求項１の雨具。
【請求項３】
前記線条部材がワイヤー又は板材である請求項２の雨具。
【請求項４】
前記上部構造又は下部構造に伸縮可能な拡縮具を有する請求項１ないし３の雨具。
【請求項５】
前記下部構造の下部覆いのうち後側の覆いに開口を有したり、覆いを除去する請求項１ないし４いずれかの雨具。
【請求項６】
前記下部構造の左右にドレープを有する請求項１ないし５いずれかの雨具。
【請求項７】
前記線条部材がループ材又は直線材である請求項２ないし６いずれかの雨具。
【請求項８】
前記線条部材の下部が有端構造である請求項２ないし７いずれかの雨具。
【請求項９】
上部構造と、
下部構造と、
該上部構造と下部構造を連結する連結部と、を備え
前記上部構造が上部骨組みと、該上部骨組みを覆う上部覆いとを有し、
前記下部構造が下部骨組みを有し、
前記上部構造が傘状構造部又は帽子状構造部であり、
前記上部骨組み又は下部骨組み若しくは前記上部覆いを設け、前記下部構造に係止部を構成し重心が前記肩掛け部よりも下にあることを特徴とする雨具。
【請求項１０】
前記肩掛け部が一対のパッドを有し、該パッドが連結線条によって連結され、該連結線条から前記上部構造が上方に延び出し、前記下部構造が線条部材であり、前記線条部材の下端が曲げられ、先端にパッド状の係止部が設けられる請求項９の雨具。
【請求項１１】
上部構造と、
下部構造と、
該上部構造と下部構造を連結する連結部と、を備え
前記上部構造が上部骨組みと、該上部骨組みを覆う上部覆いとを有し、
前記下部構造が硬質のベルトを有する携帯品であり、前記連結部が前記携帯品の上部と、前記上部構造とを連結するとともに肩掛け部を構成し、
重心が前記肩掛け部よりも下にあることを特徴とする雨具。
【発明の詳細な説明】
【技術分野】
【０００１】
本発明は人体を防雨する雨具に関する。
【背景技術】
【０００２】
従来は主に傘又は合羽（レインコート、ポンチョ）が使用されている。その他、傘又は庇状の器具を使用者に固定させる技術（特許文献１〜４）、ポンチョを拡げてまとわりつかないようにする工夫（特許文献５、６）、庇状の器具を肩付近で拡げる工夫（特許文献７〜９）、フードを拡げる工夫（特許文献１０）などが提案されている。
【０００３】
特許文献１１〜１４に示す発明は、特許文献１〜１０に示す技術に替わるものとして新しく提案されている。頭が自由に動くドーム型フードを持つ雨具で肩又は脇に固定具で固定する発明に関するものである。
【先行技術文献】
【特許文献】
【０００４】
【特許文献１】特開2005-73980号公報
【特許文献２】特開2007-54105号公報
【特許文献３】特開2003-310320号公報
【特許文献４】特開2007-107166号公報
【特許文献５】特開2002-227009号公報
【特許文献６】特開2009-13528号公報
【特許文献７】特開2012-255243号公報
【特許文献８】特開2003-113506号公報
【特許文献９】特開2005-89945号公報
【特許文献１０】特開2001-192922号公報
【特許文献１１】特開2012-7279号公報
【特許文献１２】特開2013-138767号公報
【特許文献１３】特開2005-82951号公報
【特許文献１４】特開2007-195932号公報
【発明の概要】
【発明が解決しようとする課題】
【０００５】
従来の傘は手で持つ必要があるため両手で荷物を運べなかったり、自転車乗車時には安全性に課題がある。レインコートは使用者にまとわりついて不快である上に着用に手間がかかる。ポンチョは使用者にまとわりついて不快である上に、足が濡れる。
【０００６】
特許文献１〜４は傘又は庇状の雨具を身体にベルト、帯、鉤状部分、紐止め具で固定する技術であるが、固定の手間がかかる上に装着時の安定性や快適性に欠ける。特に特許文献４は頭頂に弾性体輪で固定するため、ヘアスタイルを乱す。
【０００７】
特許文献５〜９は合羽が身体に纏わり付く不快を解消するため、ポンチョの裾をバネリングで拡げる（特許文献５）、ポンチョを空気で拡げる（特許文献６）、フードの下方を板で拡げる（特許文献７）、肩に板を据える（特許文献８）、ポンチョの肩の前後を拡げる（特許文献９）の技術であるが、肩より下のまとわりつきは解消されているが頭部の不快さを解消できていない。
【０００８】
特許文献１０は合羽のフードが頭部に纏わり付く不快を解消するための頭巾を空気で拡げる技術であるが、フードのまとわり付きは解消されるが開口部が大きくなるため風を受けるとフードが飛ばされてしまう。
【０００９】
特許文献１１〜１４はフード又はドームが頭部に接触しないように肩又は脇に固定するための固定部を設ける技術である。頭部へのまとわりつきは解消され、ハンズフリーとなるが、重心が肩より上にあるため、肩に接着するだけだと風圧によって傾きやすい。傾倒を防ぐために胸部や肩部に強力に固定する必要があるため、それぞれ固定部に違和感が残ることとなる。
【００１０】
つまり、傘や特許文献１〜３、１１〜１４のように雨具を身体から離した状態で防雨する器具は、使用者もしくは頭部にまとわりつく不快については解消されるが、その重心が固定位置より高く不安定であるため、使用者の手・肩・胸・脇等に固定させる必要がある。このように固定するために器具の重量が重くなったり、器具を固定する肩や脇に荷重が集中し違和感があったり、取り付け作業が手間となる。しかも下半身の防雨は考慮されていないため、合羽等を併用しなければならない等の課題が残る。
【００１１】
また、特許文献５〜１０は合羽のまとわり付きを解消しようとしているが、一部分しか解消されていない。頭頂部へ固定するものはヘアスタイルを乱すため好ましくない。
【００１２】
そこで、本発明の目的は、頭部・上半身及び下半身の防雨を可能とし、使用者への雨具のまとわりつきをなくした上で、重量バランスを良好とし、肩又は脇への負担を軽減し、製造を簡素化し、取り付けを簡単にするといった諸課題を一挙に解決することにある。
【課題を解決するための手段】
【００１３】
上記課題を鑑み、本発明の第１発明は、上部構造と、下部構造と、該上部構造と下部構造を連結する連結部と、を備え前記上部構造が上部骨組みと、該上部骨組みを覆う上部覆いとを有し、前記下部構造が下部骨組みと、該下部骨組みを覆う下部覆いとを有し、前記上部骨組み又は下部骨組み若しくは前記上部覆い又は下部覆いに肩掛け部を設け、重心が前記肩掛け部よりも下にあることを特徴とする雨具である。
【００１４】
「上部構造」は連結部よりも上に位置する構造である。
【００１５】
「下部構造」は連結部よりも下に位置する構造である。
【００１６】
「連結部」には、上部構造と下部構造とが連結機構をそなえたもの、ピン、カプラ、紐、ベルト、スナップ、接着剤付きテープ等が挙げられる。連結部を支点として、折り畳みが可能になる。連結部の構造には、（１）上部構造と下部構造とが連結部で一体にされ分離不可能な構造、（２）上部構造と下部構造とが着脱可能である構造がある。（１）には、上部構造と下部構造とが連続する線条のもの、上部構造と下部構造とが一体形成されたもの等がある。（２）には、差し込み構造等がある。
【００１７】
「上部骨組み」、「下部骨組み」は、雨具の主要な部分であり、覆いを張設するものである。弾力性のある硬質素材が好ましい。例えば、ワイヤ、金属製薄板材、プラスチック線材、プラスチック薄板材、ばね鋼材、棒材等が挙げられる。硬質素材であるため、覆いの形状を保持できる。ワンタッチで折り畳む雨具にできる。骨の構造を工夫することで、傘なみの折り畳み構造にできる。
【００１８】
「上部覆い」、「下部覆い」は、雨除けのため、上部骨組みと下部骨組みを覆い縫った状態の防水生地のことである。覆いは防水性のあるシートが好ましい。上部覆いで頭部から肩にかけての部分を防雨し、下部覆いで、肩から下を防雨できる。脚部まで防雨できることが好ましい。上部覆い及び／又は下部覆いを骨組みから脱着可能な構造としてもよい。下部覆いが取り外し構造であれば、下部構造の下部覆いを取り外すことで、上部覆いのみとなるため、晴天時の日除けとしても利用可能である。下部覆いが拡がっているのであれば、風通しが良いため、上部覆いを取り外せば、下半身の日除けとしても利用可能である。
【００１９】
下部覆いは適切な拡がりを保持できるため、下半身の防雨であっても肩から腰ほどの高さと長さを備えれば十分と考えられる。
【００２０】
「肩掛け部」は、肩に掛けて、支点となる部分である。通常は２点支持であるが、１点支持、３点以上の支持となることもある。肩掛け部は前記骨組みに設ける場合には、硬質の部材、例えば、プラスチック、金属、セラミック等となることが例示され、又は、覆いに設ける場合には、左右又は前後にある覆いを延設し連結したもの、例えば、左右の下部覆いに頭部を通す穴を設けることで、穴の周囲の覆いを肩掛け部とすることが例示される。
【００２１】
「重心」は雨具全体の重心であり、上部構造、下部構造、連結部、覆いの各部に作用する力の合力の作用点である。重心が肩（支点）の直下にあるときに上部構造が頭上に来るように調整される。
【００２２】
以上の通り、上部構造、下部構造の形状、大きさ、重さが調整されて、重心が前記肩掛け部よりも下にあることで、前記上部構造が前記肩掛け部を支点とし、力学的に安定的に立設される。上部構造よりも下部構造が相対的に重いので、肩掛け部を肩に乗せるだけで安定させる、いわゆる、やじろべえの構造を採用したものである。重心が支点よりも下になるように下部構造は適度な重さが必要である。
【００２３】
これにより、雨具を手で持つ必要も、また、ベルト等で固定させる必要もなく、合羽と比較してまとわりつかずに、雨を防ぐことができる。また、上部骨組みと下部骨組みにより、覆いを拡げることができるため、使用者へ覆いがまとわりつかない状態のまま濡れることを防ぎ、肩に肩掛け部を乗せるだけなので固定させる手間もないといった利点がある。下部骨組みに取っ手を設ければ、自転車等に乗る際にハンドルと共に持つことで更に安全に使用することができる。強風時にも煽られることを低減できるので、対応ができる。下部覆いを前方に張り出す構造とすれば、手足まで雨を防ぐことができる。重さのバランスさえ適切であればよいので構造も簡単で製造しやすい。
【００２４】
上部構造と下部構造の連結部を肩の上方、耳の横付近とすると、肩が上部構造及び下部構造からはみ出るため肩の防水部を必要とするが、雨具を小さくすることが可能である。
【００２５】
代表的な態様としては、前記上部構造及び下部構造が一対の線条部材で構成され、前記肩掛け部又は肩掛け部の近傍の位置で前記連結部により前記線条部材が交差連結され、前記上部構造の前後方向に開口を有し、前記下部構造の左右方向に開口を有することが好ましい。支点として作用する肩掛け部の近傍において、上部構造と下部構造とが連結部により連結される。連結部において、上部構造と下部構造の開閉が行われるようになっている。上部構造と下部構造とは釣り合いのとれた重さによって位置が保持され、下部構造の自重によって上部構造が不安定となり倒れることを防ぐ。
【００２６】
「前後方向」、「左右方向」は、それぞれ、使用者を基準とする方向である。
【００２７】
「線条部材」は線の形をした部材であり、覆いが張設可能なものである。本数は基本的には一対であり、追加的に３本以上の線条にすることもある。
「交差連結」の態様としては、使用者の左面及び／又は右面のそれぞれに、線条部材がX字形状で交差連結する構造が例示できる。
【００２８】
前記開口は雫が使用者を濡らさない程度の形状、大きさであればよい。上部構造は前後方向に開口があるので、風が通る。
【００２９】
前記線条部材がワイヤー又は板材であることが好ましい。材質は弾力性のある金属材料が好ましい。比較的、軽い素材であるため、使用者への負担が軽減できる。線条同士を紐状部材で連結すれば、上部構造と下部構造の形状を整えることができ、強風時や自転車乗車時等に手に持つことができる。
【００３０】
前記上部構造又は下部構造に伸縮可能な拡縮具を有することが好ましい。
【００３１】
前記下部構造の下部覆いのうち後側の覆いに開口を有したり、覆いを除去することが好ましい。後側の覆いに開口を設けたり、覆いを取り外せば、車椅子用の雨具、幼児を背負った主婦用の雨具としても最適である。下部構造で上部構造を安定させるため、頭部への負担がない。
【００３２】
前記下部構造の左右にドレープなどの覆いを有することが好ましい。使用者の側面に覆いを設けることで、ファッション性を高めたり、側面の防雨に役立てることが可能である。
【００３３】
前記線条部材がループ材又は直線材であることが好ましい。
【００３４】
前記線条部材の下部が有端構造であることが好ましい。折り畳み傘のように折り畳むことが容易になり、携帯に便利である。
【００３５】
前記第１発明に関連する第２発明は、上部構造と、下部構造と、該上部構造と下部構造を連結する連結部と、を備え、前記上部構造が上部骨組みと、該上部骨組みを覆う上部覆いとを有し、前記下部構造が下部骨組みを有し、前記上部構造が傘状構造部又は帽子状構造部であり、前記上部骨組み又は下部骨組み若しくは前記上部覆いを設け、前記下部構造に係止部を構成し重心が前記肩掛け部よりも下にあることを特徴とする雨具である。
【００３６】
これにより、基本的には第１発明と同様の作用効果を奏する。前記係止部を使用者、車椅子、自転車等に係止することで、前記肩掛け部を支点として力学的により安定的に立設されるので、上部構造が倒れることを防止できる。
【００３７】
上部構造は、傘状部材が例示される。第１発明と同様に両肩の真下に重心があるときに上部構造が頭上にくるように位置と重さが調整される。
【００３８】
前記肩掛け部が一対のパッドを有し、該パッドが連結線条によって連結され、該連結線条から前記上部構造が上方に延び出し、前記下部構造が線条部材であり、前記線条部材の下端が曲げられ、先端にパッド状の係止部が設けられることが好ましい。
【００３９】
前記第１発明及び第２発明に関連する第３発明は、上部構造と、下部構造と、該上部構造と下部構造を連結する連結部と、を備え、前記上部構造が上部骨組みと、該上部骨組みを覆う上部覆いとを有し、前記下部構造が硬質のベルトを有する携帯品であり、前記連結部が前記携帯品の上部と、前記上部構造とを連結するとともに肩掛け部を構成し、重心が前記肩掛け部よりも下にあることを特徴とする雨具である。
【００４０】
肩掛けカバンを下部構造として採用し、肩掛けカバンのベルトは上部構造を支持するだけの硬さが必要である。支点は１点となるので、不安定さを防止するため、カバンに手を添えることが必要である。ベルトを硬軟自在の材質とすれば便利である。
【発明の効果】
【００４１】
第１発明によれば、肩掛け部を肩に乗せるだけで使用者に装着できるので、雨具を手に持ったり、肩または脇等に取り付けるための固定具が不要となり、肩又は脇への負担を軽減し、使用者や自転車等に固定させる手間もかからない。また、製造を簡素化し、取り付けを簡単にすることができる。下半身の防雨を可能とし、傘や合羽と比較してハンズフリーであり、使用者への雨具のまとわりつきをなくすことができる。
第２発明、第３発明によれば、下半身の防雨をすることはできないが、その他は、第１発明と同様の効果を奏する。
【図面の簡単な説明】
【００４２】
【図１】本発明実施形態１の雨具１の斜視図である。
【図２】同じく雨具１の連結部４付近の（ａ）内側からの側面図、（ｂ）外側からの側面図である。
【図３】同じく雨具１の使用状態の斜視図である。
【図４】変形例１の雨具１０１の使用状態の斜視図である。
【図５】変形例１の雨具１０１の使用状態の別の角度からの斜視図である。
【図６】変形例２の雨具２０１の使用状態の斜視図である。
【図７】変形例１の雨具１０１と変形例２の雨具２０１の同時使用状態の斜視図である。
【図８】変形例３の雨具３０１の使用状態の斜視図である。
【図９】変形例４の雨具４０１の使用状態の斜視図である。
【図１０】変形例５の雨具５０１の使用状態の斜視図である。
【図１１】変形例６の雨具６０１の使用状態の斜視図である。
【図１２】変形例７の雨具７０１の使用状態の斜視図である。
【図１３】本発明実施形態２の雨具１００１の斜視図である。
【図１４】本発明実施形態２の雨具１００１の使用状態１の斜視図である。
【図１５】本発明実施形態２の雨具１００１の使用状態２の別の角度からの斜視図である。
【図１６】本発明実施形態３の雨具２００１の使用状態の斜視図である。
【発明を実施するための形態】
【００４３】
本発明の第１実施形態の雨具１を図１〜１２を参照して説明する。
【００４４】
雨具１は、上部構造２と、下部構造３と、上部構造２と下部構造３を連結する連結部４と、を備え、上部構造２が上部骨組み２ａと、上部骨組み２ａを覆う上部覆い２ｂとを有し、下部構造３が下部骨組み３ａと、下部骨組み３ａを覆う下部覆い３ｂとを有し、下部覆い３ｂに肩掛け部５を有し、重心が肩掛け部５よりも下にあることを特徴とする。
【００４５】
上部構造２は連結部４よりも上に位置する構造であり、下部構造３は連結部４よりも下に位置する構造である。
【００４６】
上部骨組み２ａ及び下部骨組み３ａは、雨具１の主要な部分であり、上部覆い２ｂ，下部覆い３ｂを張設するものである。弾力性のある硬質金属製材であり、傘の骨組と同様の材質であり、上部覆い２ｂ，下部覆い３ｂの形状を保持できる。弾力性があるため、ワンタッチで雨具１を折り畳むことができる。
【００４７】
上部骨組み２ａと下部骨組み３ａは、一対の無端線条部材、ここでは略楕円形のループ部材で構成され、２つのループ部材がX字形状に交差する。使用時の交差点での交差角度は、図示の角度は例示であり、子供用、大人用、車椅子用等の用途等に応じて、適宜、設定される。また、少なくとも使用者が前方の開口から外部が視認できるように設定する。さらに、重量のバランスも考慮する。上部構造２の前後方向に開口を有し、下部構造３の左右方向に開口を有する。
【００４８】
上部覆い２ｂ、下部覆い３ｂは、それぞれ、上部骨組み２ａと下部骨組み３ａを覆い縫った状態の防水生地である。上部覆い２ｂは、頭部と肩を覆う高さと長さ、下部覆い３ｂは、肩から腰ほどの高さと長さを備えれば十分である。上部覆い２ｂ及び下部覆い３ｂを上部骨組み２ａ，下部骨組み３ａから脱着可能な構造、例えば、止めボタンで脱着可能としてもよい。下部覆い３ｂが取り外し構造であれば、下部構造３の下部覆い３ｂを取り外すことで、上部覆い２ｂのみとなるため、晴天時の日除けとしても利用可能である。下部覆い３ｂが拡がっているのであれば、風通しが良いため、上部覆い２ｂを取り外せば、下半身の日除けにすることも利用可能である。
【００４９】
上部覆い２ｂの左右には、２個の窓６を設けている。下部覆い３ｂの中心部には頭通し穴７を設けている。
【００５０】
連結部４は上部骨組み２ａと下部骨組み３ａを構成する２つのループ部材の交差点に設けられ、この交差点でピンがループ部材の貫通穴を通り、揺動可能に止着する。ループ部材は、てこの原理で揺動可能である。連結部４は、支点として作用する肩掛け部５又は肩掛け部５の近傍の位置、ここでは、それよりも下の位置で、連結部４により上部骨組み２ａと下部骨組み３ａが連結されている。連結部４を支点として、折り畳みが可能になる。
【００５１】
連結部４は上部構造２と下部構造３とが連結部４で一体にされ分離不可能な構造である。連結部４を支点として、上部骨組み２ａ，下部骨組み３ａの揺動により、上部構造２と下部構造３の開閉が行われるようになっている。上部構造２と下部構造３とは釣り合いのとれた重さによって位置が保持され、下部構造３の自重によって上部構造２が不安定となり倒れることを防ぐ。
【００５２】
肩掛け部５は、下部覆い３ｂの上部中心の左右に一対が設けられていて、肩に掛けて、支点となる部分であり、２点支持であり、下部覆い３ｂを兼用している部分である。
【００５３】
重心は雨具１全体の重心であり、上部構造２、下部構造３、連結部４の各部に作用する力の合力の作用点である。重心が肩（支点）の直下にあるときに上部構造が頭上に来るように調整される。
【００５４】
上部構造２に伸縮可能な拡縮具８を有する。この拡縮具８は、第１アーム８ａ、第２アーム８ｂ、これらを連結するピン８ｃ、第１アーム８ａと上部骨組み２ａを連結するピン８ｄ、第２アーム８ｂと上部骨組み２ａを連結するピン８ｅを備えている。第１アーム８ａ、第２アーム８ｂを上下に移動させることで、上部骨組み２ａと上部覆い２ｂが伸縮する。
【００５５】
上部骨組み２ａ及び／又は下部骨組み３ａ、又は、上部覆い２ｂ及び又は下部覆い３ｂに取っ手９を設ければ、自転車等に乗る際にハンドルと共に持つことで安全に使用することができる。強風時にも煽られることを低減できるので、対応ができる。
【００５６】
上部構造２は保張具１０を備えている。保張具１０は上部覆い２ｂの内側に配置されたワイヤ１０ａと、上部覆い２ｂの両端部の下端１０ｂに設けた半袋状部材１０ｃとを備え、ワイヤ１０ａの先端が半袋状部材１０ｃに差し込まれることで、左右方向に展開し、張設されるものである。
【００５７】
図３の雨具１の使用状態の斜視図に示す通り、母親が子供を抱いた状態で使用可能である。使用者と子供の頭は上部覆い２ｂで、肩以下は下部覆い３ｂで防雨される。車椅子や自転車等での使用も可能である。
【００５８】
以上の通り、上部構造２、下部構造３の形状、大きさ、重さが調整されて、上部構造２よりも下部構造３が相対的に重く、重心が支点である肩掛け部５よりも下にある、いわゆる、やじろべえの構造であるので、肩掛け部５を支点として力学的に安定的に雨具１を立設できる。
【００５９】
雨具１を被り、肩掛け部５を肩に乗せるだけでよいので、雨具１を手で持つ必要も、また、ベルト等で肩や脇、自転車等に固定させる必要もなく、肩又は脇への負担を軽減し、雨具１を使用者に固定させる手間もかからず、使用者への装着が簡単である。下部覆い３ｂが前方に張り出しているので、手足まで雨を防ぐことができる。重さのバランスさえ適切であればよいので、構造も簡単で製造しやすい。
【００６０】
上部骨組み２ａと下部骨組み３ａにより、覆いを拡げることができるため、下半身の防雨を可能とし、傘や合羽と比較してハンズフリーであり、まとわりつかずに、雨を防ぐことができる。
【００６１】
風が吹いて風圧で前後左右に揺れる場合には、取っ手９等の補助具を取り付けたり、下部構造３に手を添えたり、上部構造２を支えたりすることで、雨具１の揺動を防止できる。
【００６２】
図４、図５の変形例１の雨具１０１の使用状態の斜視図に示す通り、雨具１０１は保張具１０を省略するとともに窓６を１個としたもので、他は雨具1と同様であるので、説明は上記を援用する。部品番号は１００番台とし、対応する部品は同様の番号を付する。
【００６３】
図６の変形例２の雨具２０１の使用状態の斜視図に示す通り、雨具２０１は車椅子用に下部覆い２０３ｂのうち、後方の覆いの全部又は一部を除去し、開口２１１を設けたものであり、他は変形例１と同様であるので、説明は援用する。介護者が車椅子を手で操作するための空間を設けるためである。部品番号は２００番台とし、対応する部品は同様の番号を付する。
【００６４】
図７の変形例１の雨具１０１と変形例２の雨具２０１の同時使用状態の斜視図に示す通り、要介護者が雨具２０１を、介護者が雨具１０１を用いることができる。
【００６５】
図８の変形例３の雨具３０１の使用状態の斜視図に示す通り、雨具３０１は頭通し穴３０７を、前方にえぐれるように開口を拡大したものである。これにより、母親に抱かれた子供の頭を開口により上方に突出させることができる。子供の頭を通すための覆いを脱着構造で脱着することもできる。幼児を背負った主婦用の雨具３０１とする場合には、後方にえぐれるように頭通し穴３０７を設けても良い。部品番号は３００番台とし、対応する部品は同様の番号を付する。
【００６６】
図９の変形例４の雨具４０１の使用状態の斜視図に示す通り、雨具４０１は上部骨組み４０２ａ、下部骨組み４０３ａ及び上部覆い４０２ｂ、下部覆い４０３ｂの形状を角形に変更したものである。部品番号は４００番台とし、対応する部品は同様の番号を付する。
【００６７】
図１０の変形例５の雨具５０１の使用状態の斜視図に示す通り、下部構造５０３の左右にドレープ５１２を有する。このドレープ５１２は下部覆い５０３ｂの同じ側の側端面同士を連結したものである。使用者の側面にドレープ５１２を設けることで、ファッション性を高めたり、側面の防雨に役立てることが可能である。部品番号は５００番台とし、対応する部品は同様の番号を付する。
【００６８】
図１１の変形例６の雨具６０１の使用状態の斜視図に示す通り、下部骨組み６０３ａの下部が有端構造であり、自由端６１３を有している。折り畳み傘のように折り畳むことが容易になり、携帯に便利である。また上部構造６０２が三角形の構造である。部品番号は６００番台とし、対応する部品は同様の番号を付する。
【００６９】
図１２の変形例７の雨具７０１の使用状態の斜視図に示す通り、上部骨組み７０２ａと下部骨組み７０３ａの交差角度が相違する例である。部品番号は７００番台とし、対応する部品は同様の番号を付する。
【００７０】
本発明の第２実施形態の雨具１００１は、第１実施形態の雨具1と共通点があるが、下半身を防雨しない点で相違する。上部構造１００２と、下部構造１００３と、上部構造１００２と下部構造１００３を連結する連結部１００４と、を備える。上部構造１００２が傘状構造部であり、中棒１００２ｃを備えた上部骨組み１００２ａと、上部骨組み１００２ａを覆う上部覆い１００２ｂとを有する。下部構造１００３が下部骨組み１００３ａを有する。下部骨組み１００３ａが、一対のパッドである肩掛け部１００５から、それぞれ、下方に延び出す一対のＬ字形状又は屈曲形状のアーム１００３ｂと、肩掛け部１００５を連結する横方向に延び出す棒材１００３ｃと、を有する。アーム１００３ｂは使用者の前方に突出する形状である。下部構造１００３の下端に係止部１０１５を構成する。
【００７１】
図１４、図１５の本発明実施形態２の雨具１００１の使用状態１の斜視図に示す通り、肩掛け部１００５を肩に掛け、アーム１００３ｂを脇の下に通し、係止部１０１５を背中側に配置する。
【００７２】
これにより、基本的には第１実施形態と原理的に同様の作用効果を奏する。下部構造１００３の自重により肩掛け部１００５を支点として力学的に安定的に雨具１００１が立設されるが、下部骨組み１００３a及び／又は係止部１０１５を使用者、車椅子、自転車等に係止することで、より上部構造１００２が倒れることを防止できる。
【００７３】
図１６の本発明実施形態３の変形例である雨具２００１の使用状態の斜視図に示す通り、上部構造２００２と、下部構造２００３と、上部構造２００２と下部構造２００３を連結する連結部２００４と、を備え、上部構造２００２が支持棒２００２ｃを備えた上部骨組み２００２ａと、上部骨組み２００２ａを覆う上部覆い２００２ｂとを有し、下部構造２００３が硬質のベルト２００３ａを有する携帯品であり、連結部２００４が携帯品の上部と、上部構造２００２とを連結するとともに肩掛け部を構成し、重心が肩掛け部よりも下にあることを特徴とする。ここでは、肩掛けカバンを下部構造２００３として採用し、肩掛けカバンのベルト２００３ａは上部構造２００２を支持するだけの硬さが必要である。支点は１点となるので、不安定さを防止するため、カバンを手で押さえることが必要である。ベルト２００３ａを硬軟自在の材質とすれば便利である。
【００７４】
なお、本発明は、上述の実施の形態に限定されず、本発明の技術的思想を逸脱しない範囲で、様々な改変、置換、欠失等を行うことが出来、改変、均等、置換、欠失等も本発明の技術的範囲に含まれる。
【産業上の利用可能性】
【００７５】
本発明は、自転車、車椅子等の運転の際、農作業等の各種屋外活動での防雨用の利用に提供される。
【符号の説明】
【００７６】
１・・・雨具
２・・・上部構造
２ａ・・・上部骨組み
２ｂ・・・上部覆い
３・・・下部構造
３ａ・・・下部骨組み
３ｂ・・・下部覆い
４・・・連結部
５・・・肩掛け部
６・・・窓
７・・・頭通し穴
８・・・拡縮具
８ａ・・・第１アーム
８ｂ・・・第２アーム
８ｃ，８ｄ，８ｅ・・・ピン
９・・・取っ手
１０・・・保張具
１０ａ・・・ワイヤ
１０ｂ・・・下端
１０ｃ・・・半袋状部材
１０１・・・雨具
２０１・・・雨具
２０３ｂ・・・下部覆い
２１１・・・開口
３０１・・・雨具
３０７・・・頭通し穴
４０１・・・雨具
４０２ａ・・・上部骨組み
４０２ｂ・・・上部覆い
４０３ａ・・・下部骨組み
４０３ｂ・・・下部覆い
５０１・・・雨具
５０３・・・下部構造
５０３ｂ・・・下部覆い
５１２・・・ドレープ
６０１・・・雨具
６０２・・・上部構造
６０３・・・下部構造
６０３ａ・・・下部骨組み
６１３・・・自由端
７０１・・・雨具
７０２ａ・・・上部骨組み
７０３ａ・・・下部骨組み
１００１・・・雨具
１００２・・・上部構造
１００２ａ・・・上部骨組み
１００２ｂ・・・上部覆い
１００２ｃ・・・中棒
１００３・・・下部構造
１００３ａ・・・下部骨組み
１００３ｂ・・・アーム
１００３ｃ・・・棒材
１００４・・・連結部
１００５・・・肩掛け部
１０１５・・・係止部
２００１・・・雨具
２００２・・・上部構造
２００２ａ・・・上部骨組み
２００２ｂ・・・上部覆い
２００２ｃ・・・支持棒
２００３・・・下部構造
２００３ａ・・・ベルト
２００４・・・連結部
【図１】
2018114007.tif 000003
【図２】
2018114007.tif 000004
【図３】
2018114007.tif 000005
【図４】
2018114007.tif 000006
【図５】
2018114007.tif 000007
【図６】
2018114007.tif 000008
【図７】
2018114007.tif 000009
【図８】
2018114007.tif 000010
【図９】
2018114007.tif 000011
【図１０】
2018114007.tif 000012
【図１１】
2018114007.tif 000013
【図１２】
2018114007.tif 000014
【図１３】
2018114007.tif 000015
【図１４】
2018114007.tif 000016
【図１５】
2018114007.tif 000017
【図１６】
2018114007.tif 000018
【手続補正書】
【提出日】平成29年7月26日(2017.7.26)
【手続補正１】
【補正対象書類名】特許請求の範囲
【補正対象項目名】全文
【補正方法】変更
【補正の内容】
【特許請求の範囲】
【請求項１】
上部構造と、
下部構造と、
該上部構造と下部構造を連結する連結部と、を備え、
前記上部構造が上部骨組みと、該上部骨組みを覆う上部覆いとを有し、
前記下部構造が下部骨組みと、該下部骨組みを覆う下部覆いとを有し、
前記上部骨組み又は下部骨組み若しくは前記上部覆い又は下部覆いに肩乗せ部を設け、重心が前記肩乗せ部の直下にあり、
前記上部骨組み及び下部骨組みが一対の線条部材で構成され、前記肩乗せ部又は肩乗せ部の近傍の位置で前記連結部により前記線条部材が交差連結され、前記上部覆いが前記上部骨組みに左右方向に張設されて前記上部構造が前後方向に開口を有し、前記下部覆いが前記下部骨組みに前後方向に張設されて前記下部構造が左右方向に開口を有し、
前記線条部材がワイヤー又は板材で、反っていないループ材又は直線材であることを特徴とする雨具。
【請求項２】
前記上部構造又は下部構造に伸縮可能な拡縮具を有する請求項１の雨具。
【請求項３】
前記下部構造の下部覆いのうち後側の覆いに開口を有したり、覆いを除去する請求項１又は２の雨具。
【請求項４】
前記下部構造の左右にドレープを有する請求項１ないし３いずれかの雨具。
【請求項５】
前記線条部材が直線材であり、該線条部材の下部が有端構造である請求項１ないし４いずれかの雨具。
【手続補正２】
【補正対象書類名】明細書
【補正対象項目名】００１３
【補正方法】変更
【補正の内容】
【００１３】
上記課題を鑑み、本発明の第１発明は、上部構造と、下部構造と、該上部構造と下部構造を連結する連結部と、を備え前記上部構造が上部骨組みと、該上部骨組みを覆う上部覆いとを有し、前記下部構造が下部骨組みと、該下部骨組みを覆う下部覆いとを有し、前記上部骨組み又は下部骨組み若しくは前記上部覆い又は下部覆いに肩乗せ部を設け、重心が前記肩乗せ部の直下にあり、前記上部骨組み及び下部骨組みが一対の線条部材で構成され、前記肩乗せ部又は肩乗せ部の近傍の位置で前記連結部により前記線条部材が交差連結され、前記上部覆いが前記上部骨組みに左右方向に張設されて前記上部構造が前後方向に開口を有し、前記下部覆いが前記下部骨組みに前後方向に張設されて前記下部構造が左右方向に開口を有し、前記線条部材がワイヤー又は板材で、反っていないループ材又は直線材であることを特徴とする雨具である。
【手続補正３】
【補正対象書類名】明細書
【補正対象項目名】００２０
【補正方法】変更
【補正の内容】
【００２０】
「肩乗せ部」は、肩に乗せて、支点となる部分である。通常は２点支持であるが、１点支持、３点以上の支持となることもある。肩乗せ部は前記骨組みに設ける場合には、硬質の部材、例えば、プラスチック、金属、セラミック等となることが例示され、又は、覆いに設ける場合には、左右又は前後にある覆いを延設し連結したもの、例えば、左右の下部覆いに頭部を通す穴を設けることで、穴の周囲の覆いを肩乗せ部とすることが例示される。
【手続補正４】
【補正対象書類名】明細書
【補正対象項目名】００２２
【補正方法】変更
【補正の内容】
【００２２】
以上の通り、上部構造、下部構造の形状、大きさ、重さが調整されて、重心が前記肩乗せ部よりも下にあることで、前記上部構造が前記肩乗せ部を支点とし、力学的に安定的に立設される。上部構造よりも下部構造が相対的に重いので、肩乗せ部を肩に乗せるだけで安定させる、いわゆる、やじろべえの構造を採用したものである。重心が支点よりも下になるように下部構造は適度な重さが必要である。
【手続補正５】
【補正対象書類名】明細書
【補正対象項目名】００２３
【補正方法】変更
【補正の内容】
【００２３】
これにより、雨具を手で持つ必要も、また、ベルト等で固定させる必要もなく、合羽と比較してまとわりつかずに、雨を防ぐことができる。また、上部骨組みと下部骨組みにより、覆いを拡げることができるため、使用者へ覆いがまとわりつかない状態のまま濡れることを防ぎ、肩に肩乗せ部を乗せるだけなので固定させる手間もないといった利点がある。下部骨組みに取っ手を設ければ、自転車等に乗る際にハンドルと共に持つことで更に安全に使用することができる。強風時にも煽られることを低減できるので、対応ができる。下部覆いを前方に張り出す構造とすれば、手足まで雨を防ぐことができる。重さのバランスさえ適切であればよいので構造も簡単で製造しやすい。
【手続補正６】
【補正対象書類名】明細書
【補正対象項目名】００２５
【補正方法】変更
【補正の内容】
【００２５】
前記上部構造及び下部構造が一対の線条部材で構成され、前記肩乗せ部又は肩乗せ部の近傍の位置で前記連結部により前記線条部材が交差連結され、前記上部覆いが前記上部骨組みに左右方向に張設されて前記上部構造が前後方向に開口を有し、前記下部覆いが前記下部骨組みに前後方向に張設されて前記下部構造が左右方向に開口を有することが好ましい。支点として作用する肩乗せ部の近傍において、上部構造と下部構造とが連結部により連結される。連結部において、上部構造と下部構造の開閉が行われるようになっている。上部構造と下部構造とは釣り合いのとれた重さによって位置が保持され、下部構造の自重によって上部構造が不安定となり倒れることを防ぐ。
【手続補正７】
【補正対象書類名】明細書
【補正対象項目名】００３４
【補正方法】変更
【補正の内容】
【００３４】
前記線条部材が直線材であり、該線条部材の下部が有端構造であることが好ましい。折り畳み傘のように折り畳むことが容易になり、携帯に便利である。
【手続補正８】
【補正対象書類名】明細書
【補正対象項目名】００３５
【補正方法】削除
【補正の内容】
【手続補正９】
【補正対象書類名】明細書
【補正対象項目名】００３６
【補正方法】削除
【補正の内容】
【手続補正１０】
【補正対象書類名】明細書
【補正対象項目名】００３７
【補正方法】削除
【補正の内容】
【手続補正１１】
【補正対象書類名】明細書
【補正対象項目名】００３８
【補正方法】削除
【補正の内容】
【手続補正１２】
【補正対象書類名】明細書
【補正対象項目名】００３９
【補正方法】削除
【補正の内容】
【手続補正１３】
【補正対象書類名】明細書
【補正対象項目名】００４０
【補正方法】削除
【補正の内容】
【手続補正１４】
【補正対象書類名】明細書
【補正対象項目名】００４１
【補正方法】変更
【補正の内容】
【００４１】
第１発明によれば、肩乗せ部を肩に乗せるだけで使用者に装着できるので、雨具を手に持ったり、肩または脇等に取り付けるための固定具が不要となり、肩又は脇への負担を軽減し、使用者や自転車等に固定させる手間もかからない。また、製造を簡素化し、取り付けを簡単にすることができる。下半身の防雨を可能とし、傘や合羽と比較してハンズフリーであり、使用者への雨具のまとわりつきをなくすことができる。